(57)【要約】      （修正有）【課題】  データリンクを介して互いに連結される電気製品の制御を単純化することを目的とする。【解決手段】  中心電気製品を介するネットワーク内の電気製品の制御は、ユーザインタフェース（ＵＩ）に支援されて単純化される。ＡＶデータが、伝送される場合、データリンクが設定される。電気製品のＵＩ間で頻繁な切替えが必要となる。ＣＤプレーヤのＵＩが表示される場合、アンプ音量設定時、このＵＩはまず閉じられて、次に、全製品リストからの選択によってアンプ用のＵＩが開始される。制御される電気製品のＵＩ内に、接続を維持する電気製品のリスト表示フィールドを設ける。電気製品のＵＩは、フィールドと共に表示される。この結果、全ての電気製品のリストから、所望のＵＩをより迅速に選択可能にする。【選択図】  図３
2004336762.tif 000002
【特許請求の範囲】
【請求項１】
分散局のネットワークにおける電気製品を制御するためのユーザインタフェースを供給する方法であって、
制御されるべき電気製品用のユーザインタフェースを生成する段階と、
前記制御されるべき電気製品の前記ユーザインタフェース内に、前記制御されるべき電気製品と共に設立されるデータリンクを維持する前記ネットワークにおける電気製品をリストにする段階と、
前記接続された電気製品のリストから１つの電気製品を選択する段階と、
前記選択された電気製品用のユーザインタフェースを生成する段階と、
を有する方法。
【請求項２】
前記接続された電気製品のリストから１つの電気製品が選択されると、前記制御されるべき電気製品の前記現在のユーザインタフェースは終了され、前記選択された電気製品の前記ユーザインタフェースが開始される請求項１記載の方法。
【請求項３】
前記電気製品の制御素子をリストにするための領域が、前記ユーザインタフェース内に設けられ、
前記リストにされる制御素子は、遠隔制御器上の対応キーに対応する請求項１又は２記載の方法。
【請求項４】
特に、動作モードを出力するための、状態情報を出力するための領域が、前記ユーザインタフェース内に設けられる請求項１乃至３のうちいずれか一項記載の方法。
【請求項５】
前記接続された電気製品のリストからの選択を開始する制御素子が、前記ユーザインタフェース内に設けられ、
前記制御素子をリストにするための前記領域は、可視である制御素子のみが、前記接続された電気製品のリストにおける検索及び選択に関連する制御素子であるよう前記接続された電気製品のリストからの選択に応じて階層的に適応される請求項１乃至４のうちいずれか一項記載の方法。
【請求項６】
請求項１乃至５のうちいずれか一項記載の方法を実行するネットワーク電気製品であって、
制御されるべき電気製品用のユーザインタフェースを生成するためのコンピュータプログラム手段を有し、
前記制御されるべき電気製品と共に設立されるデータリンクを維持する前記ネットワーク内にあり且つ前記ユーザインタフェース内に組込まれる電気製品のリストを形成する更なるコンピュータプログラム手段を含むネットワーク電気製品。
【請求項７】
前記電気製品は、前記接続された電気製品のリストから１つの電気製品が選択されると、前記現在のユーザインタフェースを閉じ、且つ、前記選択された電気製品用のユーザインタフェースを開始する第３のコンピュータプログラム手段を有する請求項６記載のネットワーク電気製品。
【請求項８】
前記電気製品の制御素子をリストにするための領域を、前記制御されるべき電気製品の前記ユーザインタフェース内に組み込む第４のコンピュータプログラム手段が設けられ、
前記リストにされる制御素子は、遠隔制御器上の対応キーに対応する請求項６又は７記載のネットワーク電気製品。
【請求項９】
特に、動作モードを出力するための、状態情報を出力するための領域を、前記ユーザインタフェース内に組込む第５のコンピュータプログラム手段を有する請求項６乃至８のうちいずれか一項記載のネットワーク電気製品。
【請求項１０】
前記接続された電気製品のリストからの選択を開始する制御素子を、前記ユーザインタフェース内に与え、前記制御素子をリストにするための前記領域を、可視である制御素子のみが、前記接続された電気製品のリストにおけるある電気製品についての検索及び選択に関連のある制御素子であるよう階層的に適応する第６のコンピュータプログラム手段を有する請求項６乃至９のうちいずれか一項記載のネットワーク電気製品。
【請求項１１】
前記ネットワーク器具は、ＨＡＶｉ規格に基づき設計され、
ＨＡＶｉは、ホーム・オーディオ／ビデオ・インターオペラビリティの略語であり、
前記接続された電気製品のリストを設定する前記コンピュータプログラム手段は、前記ネットワーク用のＨＡＶｉストリームマネジャにおいてエントリを評価する請求項６乃至１０のうちいずれか一項記載のネットワーク電気製品。
【発明の詳細な説明】
【技術分野】
【０００１】
本発明は、家庭内ネットワークの分野に関り、特に、ネットワークにおける電気製品の制御の分野、および、対応ネットワーク電気製品に係る。
【背景技術】
【０００２】
家庭内ネットワークは、様々な電気製品を互いに接続するよう用いられる。このような電気製品は、例えば、テレビジョン、ビデオレコーダ、ＤＶＤプレーヤ、衛星受信機、ＣＤプレーヤ、ＭＤプレーヤ、アンプ、ラジオ、カムコーダ等の娯楽電子機器の分野からの電気製品である。
【０００３】
最近では、娯楽電子機器からの電気製品をネットワークにすることが考慮されるだけでなく、例えば、洗濯機、食器洗い機、冷蔵庫、電子レンジ、コーヒメーカ、電気調理器具、ドライヤといった従来の家庭用電気製品、及び、暖房制御器、防犯アラームといった家庭用電気製品、又は、電話システム、パーソナルコンピュータ、ファックスといった事務所通信電気製品といった他の分野の電気製品も、原則的に家庭内ネットワークに組込むことが可能である。
【０００４】
産業は、娯楽電子機器の分野における電気製品をネットワークにするための適切な通信システムを開発した。これは、主に、いわゆるＩＥＥＥ１３９４バスシステムに支援された電気製品のネットワーク化に関連する。このＩＥＥＥ１３９４バスシステムは、個々のネットワーク局間を非常に速いデータ転送速度でデータを交換することを可能にする。現在では広く普及しているＩＥＥＥ１３９４インタフェースは、一般的に、Ｓ１００、Ｓ２００、及びＳ４００の特定データ転送速度をサポートする。この場合、Ｓ１００は、１００Ｍｂｉｔ／ｓのデータ転送速度を意味する。同様に、Ｓ２００は、２００Ｍｂｉｔ／ｓ、Ｓ４００は、４００Ｍｂｉｔ／ｓを意味する。このような高速データ転送速度は、特に、娯楽電子機器において見受けられる。これは、娯楽電子機器間のデータ交換の一般的な用途は、ビデオソース又はオーディオソースの場合に、ビデオフィルム又は一編の音楽のタイトルの再生、また、シンクとして機能する更なる娯楽電子機器に関連付けられるデータストリームの伝送であるという事実による。一般的なビデオソースは、例えば、セットトップボックス、衛星受信機、ビデオレコーダ、ＤＶＤプレーヤ、モデム、カムコーダ、デジタルカメラ、又は、パーソナルコンピュータである。一般的なオーディオソースは、例えば、ＣＤプレーヤ、チューナ／ラジオ、ＤＶＤプレーヤ、カセットプレーヤ（ＤＡＴ／ＤＣＣ）、ＭＤプレーヤ、ＭＰ３プレーヤ、パーソナルコンピュータ等である。
【０００５】
ビデオデータストリームのシンクは、特に、コンピュータモニタ、テレビジョン等である。ビデオディスプレイユニットを有する電気製品は、ビデオデータのための純粋なシンクである。しかし、以下のアイテムも、ビデオデータ用のシンクとしてみなされる。即ち、様々な記録媒体を使用するビデオレコーダのような全ての記録電気製品も、ビデオデータ用のシンクとしてみなされる。例えば、これには、ＶＨＳ又はＳ−ＶＨＳ規格に基づいた伝統的なビデオレコーダ、Ｄ−ＶＨＳ規格に基づいたデジタルビデオレコーダ、ＤＶＤ、特に、ＤＶＤ−Ｒ、ＤＶＤ＋ＲＷ、ＤＶＤ−ＲＷ、及びＤＶＤ−ＲＡＭ技術に基づいたデジタルビデオレコーダ、及び、デジタルセットトップボックスでますます用いられているハードディスクレコーダが含まれる。
【０００６】
オーディオデータ用のシンクは、例えば、アンプ、又は、アクティブボックスとして効果的に機能し、それぞれ独自のアンプを含むデジタルスピーカを含む。しかし、ビデオデータ用のシンクと同様に、組合わせの電気製品も存在し、これは、例えば、ＣＤレコーダ、オーディオテープレコーダ、カセットプレーヤ（ＤＡＴ／ＤＣＣ）、ＭＰ３プレーヤ、ＭＤプレーヤ、パーソナルコンピュータ、ビデオレコーダ、ＤＶＤレコーダ等といったオーディオデータ用のソース及びシンクとして機能する。
【０００７】
しかし、ＩＥＥＥ規格１３９４では、データ通信用のＩＳＯ／ＯＳＩ基準モデルの下位層のみが特定される。これらの下位層は、物理層と、データリンク層と、ネットワーク層及びトランスポート層の一部である。ＩＳＯ／ＯＳＩ参照モデルの高位層は、この規格では特定されていない。
【０００８】
企業のコンソーシアムが、高位層を特定する任務を引き継いだ。対応する体系の提案／規格は、ＨＡＶｉ（Home Audio Video interoperability）なる表現で知られるようになってきている。ＨＡＶｉ仕様は、主に、家庭内ネットワーク分野における娯楽電子機器間の通信のために良い結果を生み出している。従って、ネットワークにおける電気製品を、これらの電気製品を操作／制御するために特別装備される中心電気製品から、操作／制御することが可能である。中心電気製品は、一般的に、ビデオディスプレイユニットが具備される。従って、中心電気製品は、特に、テレビジョン、又は、パーソナルコンピュータであり得る。ＨＡＶｉ技術は、ディスプレイ上に、ネットワーク構造を表示することを可能にし、ネットワーク電気製品のうちの１つを選択することを可能にし、その選択された電気製品に対しユーザインタフェースが生成されることを可能にし、そして、この電気製品が操作／制御されることを可能にする。
【０００９】
導入部で説明したように、家庭内ネットワークに接続される電気製品は、ユーザインタフェースを介し制御される。ビデオ／オーディオソースからビデオ／オーディオシンクへのデータ伝送の一般的な適用のために、これらの２つの電気製品間には、データリンクを設立しなければならない。このためには、最初に、ソース電気製品が、電気製品のリストから選択され、そのソース電気製品用のユーザインタフェースが開始されなければならず、シンク電気製品へのデータリンクが設立されなければならず、次に、再生処理が開始されなければならない。例えば、ビデオディスプレイユニットを有する電気製品の場合に、輝度の変更といったシンク電気製品のための設定が行われなければならないとすると、ソース電気製品のユーザインタフェースは終了されなければならず、シンク電気製品が、電気製品のリストから選択されなければならず、そのシンク電気製品用のユーザインタフェースが開始されなければならず、そして、シンク電気製品上に新しい設定が行われなければならない。例えば、違うタイトルを再選択するといったソース電気製品に関する設定が再び変更される場合、制御処理は同様である。最初に、シンク電気製品用のユーザインタフェースは終了されなければならず、ソース電気製品が、電気製品のリストから選択されなければならず、そのソース電気製品用のユーザインタフェースが開始されなければならず、そして、制御処理が実行されなければならない。データリンクのソースとシンクは、しばしば、互いに密接に関連しており、従って、２つの電気製品のユーザインタフェース間で交互に変更することがより頻繁に必要である。
【発明の開示】
【発明が解決しようとする課題】
【００１０】
電気製品は、ユーザインタフェースを介して比較的容易に制御可能であるが、発明者は、ユーザインタフェースの頻繁な開け閉め、特に、電気製品の比較的長いリストからの選択によって、制御の複雑さが増すことを指摘しており、従って、本発明は、設定された接続を介して連結されるそのような電気製品の制御を単純化することを目的とする。
【課題を解決するための手段】
【００１１】
本発明によると、このことは、電気製品のユーザインタフェースに、ネットワークのどの電気製品が、選択された電気製品とのデータリンクを維持するのかに関する情報を含むリストが表示されるフィールドを挿入することによって達成される。このことは、予め選択が行われ、表示されるリストは、全てのネットワーク電気製品からなるリストよりもかなり小さくなることを効果的にもたらす。このリストでの検索はより明瞭であり、且つ、単純化される。最終的な所望の電気製品に到達するために、長い電気製品のリストをカーソル又はマウスカーソルで検索する必要がなくなる。
【００１２】
本発明による解決策は、独立請求項１及び５に記載する。更なる改善が、従属請求項に記載する措置によって可能となる。１つの接続する電気製品が、接続する電気製品のリストから選択されると、現在のユーザインタフェースは閉じられ、選択した電気製品のユーザインタフェースが、自動的に、生成される。現在のユーザインタフェースを別個に閉じる必要がない。
【００１３】
電気製品のユーザインタフェースは、制御するべき電気製品の制御素子をリストにするための領域が設けられるよう設定され、リストされた制御素子が、遠隔制御器上の対応キーに対応するよう設計されることが有利である。
【００１４】
更に、ある制御素子が、電気製品のユーザインタフェース内に与えられることが同様に有利であり、この制御素子は、接続する電気製品のリストの選択を開始し、制御素子をリストにするための領域において、可視である制御素子のみが、接続する電気製品のリストにおける検索及び選択に関連のある制御素子であるようにする階層的な適応を実行する。これは、明瞭さを向上し、制御をより容易にする。
【発明を実施するための最良の形態】
【００１５】
本発明は、図面を参照しながら、以下のテキストにおいてより詳細に説明する。
【００１６】
図１は、家庭内ネットワークの構造の一例を示す。参照番号１０は、テレビジョンを示す。参照番号１１は、ビデオレコーダを示し、参照番号１２は、衛星受信機を示し、参照番号１３は、ＣＤプレーヤ（コンパクトディスク）を示し、参照番号１４は、アンプを示し、参照番号１５は、ＭＤプレーヤ（ミニディスク）を示し、参照番号１６は、無線受信機を示す。図示する例では、テレビジョン１０のみが、リアルビデオディスプレイユニットを有する。従って、家庭内ネットワークにおける電気製品は、テレビジョンからのユーザインタフェースを介して制御されることが好適である。全ての電気製品は、ＩＥＥＥ１３９４バスを介して互いにネットワーク化される。この対応技術は、ＩＥＥＥ規格１３９４からの当業者には周知である。
【００１７】
この例は更に、ネットワーク電気製品が、ＨＡＶｉに適合するよう設定される。ＨＡＶｉ仕様のバージョン１．１が現在利用可能であり、これも、同様に、当業者には周知である。正確なタイトルは、ホーム・オーディオ／ビデオ・インターオペラビリティ（ＨＡＶｉ）アーキテクチャの仕様、バージョン１．１、２００１年５月１５日である。
【００１８】
ＨＡＶｉ規格は、電気製品の様々なクラスを区別する。これらは、いわゆるフルＡＶ装置（ＦＡＶ電気製品）、インターメディエートＡＶ装置（ＩＡＶ電気製品）、ベースＡＶ装置（ＢＡＶ電気製品）、レガシーＡＶ装置（ＬＡＶ電気製品）である。これらの電気製品クラスのうち、最後のクラスにおける電気製品、即ち、ＬＡＶ電気製品は、既に存在する娯楽電子機器であり、これらは、ＨＡＶｉ規格に適合するよう設計されてはいない。このような電気製品は、図１に示すネットワークの例にはない。他の全ての電気製品タイプは、ＨＡＶｉ規格に適合するよう既に設計される。
【００１９】
この場合、ＦＡＶ電気製品は、最大の機能範囲とＨＡＶｉ規格の最大のサポートを有する。ＦＡＶ電気製品の特殊な特徴は、これらの電気製品は、ＪＡＶＡ（Ｒ）バイトコード用のランタイム環境を与えることである。これは、ＦＡＶ電気製品が、他の電気製品からＪＡＶＡ（Ｒ）バイトコードをロードすることを可能にし、従って、それを制御する拡大された可能性が形成される。図１に示す家庭内ネットワークにおけるテレビジョン１０は、ＨＡＶｉ−ＦＡＶ電気製品である。
【００２０】
ＩＡＶ電気製品のクラスは、制限された機能範囲及び制限されたリソース可能性を特徴とする。これらは、ＪＡＶＡ（Ｒ）バイトコード用のランタイム環境を提供せず、従って、家庭内ネットワークにおける他の電気製品のうちの任意の１つの制御器として用いることができない。しかし、これらは、特定の電気製品の所定の機能をサポートすることができ、従って、家庭内ネットワークにおける電気製品を制限された度合いで制御することができる。図１に示す家庭内ネットワークでは、ビデオレコーダ１１と衛星受信機１２が、ＩＡＶ電気製品である。
【００２１】
ＢＡＶ電気製品は、より小さい機能範囲を提供し、完全なＨＡＶｉスタックを有さない。これらは、家庭内ネットワークにおける他の電気製品を制御することはできないが、ＦＡＶ及びＩＡＶ電気製品によって制御される。図１に示す例では、この他の電気製品は、ＣＤプレーヤ１３、アンプ１４、ＭＤプレーヤ１５、及び、ラジオ１６を含み、これらは、ＢＡＶ電気製品である。
【００２２】
図２は、ＨＡＶｉ−ＦＡＶ電気製品のソフトウェアエレメントを示す。これらは、イベントマネジャＥＭＧＲ、レジストリＲＥＧ、ＤＣＭマネジャＤＣＭＭＧＲ、リソースマネジャＲＭＧＲ、ストリームマネジャＳＭＧＲ、メッセージングシステムＭＳＹＳ、及び、通信媒体マネジャＣＭＭである。更なるＩＥＥＥ１３９４コンポーネントも、図２中のソフトウェアコンポーネントＣＭＭの下に示す。しかし、これは、必ずしもＨＡＶｉソフトウェアコンポーネントとみなされるべきではない。これは、実際には、各電気製品も、ＩＥＥＥ１３９４バスプロトコル用のインタフェースを有することを示す目的にすぎない。しかし、今日では、ＩＥＥＥ１３９４バスプロトコルは、通常、１３９４物理層ＩＣと１３９４データリンク層ＩＣに支援されてハードウェア内に導入される。従って、このコンポーネントは、破線によって、他のソフトウェアコンポーネントとは別に示す。
【００２３】
図２にリストするソフトウェアコンポーネントは、ＨＡＶｉ規格から全て既知であり、従って、以下のテキストではより詳細には説明しない。
【００２４】
テレビジョン１０は、更なるソフトウェアコンポーネント、即ち、いわゆるユーザインタフェースＵＩも有する。これは、ユーザにより入力されたコマンドに応じてスクリーンレイヤを制御し、且つ、メッセージングシステムＭＳＹＳを介して他の電気製品又はＤＣＭ又はその特定の電気製品のＦＣＭに関連付けられるメッセージを伝えるアプリケーションプログラムに対応する。電気製品は、ＤＣＭと１つ以上のＦＣＭを含む。その場合、ＤＣＭは、デバイス・コントロール・モジュールを表し、一般的な電気製品機能を制御するためのインタフェースを形成する。ＦＣＭ（ファンクショナル・コンポーネント・モジュール）は、特定の電気製品コンポーネントを制御するためのインタフェースを形成する。
【００２５】
特定のＦＣＭ機能性は、既に、ＨＡＶｉ規格において予め決められている。これらは、チューナＦＣＭ、ＶＣＲ  ＦＣＭ、クロックＦＣＭ、カメラＦＣＭ、ＡＶディスクＦＣＭ、アンプＦＣＭ、ディスプレイＦＣＭ、ＡＶディスプレイＦＣＭ、モデムＦＣＭ、ＷＥＢプロキシＦＣＭである。
【００２６】
従って、ＡＶディスプレイＦＣＭが、テレビジョン１０内に導入される。ＶＣＲ  ＦＣＭが、ビデオレコーダ１１内に導入される。チューナＦＣＭが、衛星受信機１２内に導入される。ＡＶディスクＦＣＭが、ＣＤプレーヤ１３内に組込まれ、アンプＦＣＭが、アンプ１４内に組み入れられ、ＡＶディスクＦＣＭも同様に、ＭＤプレーヤ１５内に導入され、チューナＦＣＭも、ラジオ１６内に導入される。
【００２７】
図３は、ＣＤプレーヤ１３を制御するためのユーザインタフェース（メインメニュ）の構成を示す。メインメニュは、ＣＤプレーヤ用の主な制御素子が、参照番号２０により示す領域内に記号でリストされるよう配置される。従って、これらは、特に、再生、停止、ポーズ、後方検索、前方検索に関する。しかし、多数の追加の制御素子も同様にリストされる。インデックス＋／−キーは、挿入されたＣＤ上の様々なタイトルを選択することを可能にする。カーソル制御キーの左キーは、メニュを隠すことを可能にする。しかし、ここでは、メニュはまだ正しく閉じられていないので、任意のキーを押すことによって再び配置することが可能である。右キーは、接続電気製品のリストに入るために用いる。このことは、以下のテキストにおいてより詳細に説明する。赤色のキーは、表示メニュを完全に閉じるために用いることができる。緑色のキーは、新しいデータリンクを設立するためのメニュを選択するために用いる。黄色のキーは、ＣＤプレーヤに関する電気製品情報が出力されるメニュアイテムを選択するために用いる。この情報には、例えば、モデル、製造年、利用可能な再生オプション、プログラミングオプション等が含まれる。青色のキーは、これも図示するが、媒体情報に関するメニュを呼び出しするよう用いる。即ち、このメニュは、ＣＤ上に記録されたタイトルのリスト、タイトル長等を提供する。
【００２８】
参照番号２２は、接続電気製品のリストが表示されるユーザインタフェースの領域を示す。この例では、ＣＤプレーヤは、アンプ１４とＭＤプレーヤ１５の両方に接続する。これの背後に隠される特定の適用は、ＣＤプレーヤから再生される一編の音楽は、アンプを介してスピーカに出力され、その一方で、再生されるタイトルは、同時に、ＭＤプレーヤ１５にて記録される。
【００２９】
ユーザインタフェースの更なる領域２１は、状態情報を出力するために取って置かれ、ここでは、現在の動作モードが表示される。図示する例では、動作モードは、再生モードであり、ＣＤの５番目のタイトルが再生され、その再生時間が、現在、１分３２秒である。
【００３０】
最後に、参照番号２３も、時間、データ、曜日が表示される領域を示す。
【００３１】
接続電気製品のリスト２２を構成するために、現在制御されるこの電気製品用のユーザインタフェースＵＩは、接続イベントを受信するためにイベントマネジャと合わされる。ネットワークにおいて、接続が設定される、又は、接続が消されると、現在制御されるこの電気製品のユーザインタフェースＵＩは通知され、設定された又は消された接続に対し、自分がソースか又はシンクであったのかを判断するためのチェックが行われる。その場合、接続のもう１つの端にある電気製品は、接続電気製品のリストに入力されるか、又は、そのリストから削除される。
【００３２】
図４は、遠隔制御器上の右キーに支援されて接続電気製品のリストの選択をした後のＣＤプレーヤ１３のユーザインタフェースを示す。図４に示すように、カーソル／マウスカーソルが置かれる位置は、接続電気製品のリスト２２を示すための領域において強調される。図４では、囲い線を用いて、カーソルが現在アンプの上に位置付けられることを示す。ユーザが、アンプではなくＭＤプレーヤ１５を選択することを希望する場合、ユーザは、最初に、遠隔制御器上のダウンキーを押して、カーソル／マウスカーソルを、接続電気製品のリストにおける次のエントリに動かさなければならない。図４の領域２０には、検索キー上下と、選択キーＯＫと、左キーの形である戻りキーのみを表示して、制御素子を示す。これはいわゆるサブメニュであり、接続電気製品のリストにおける検索のためのものである。ユーザが、カーソル／マウスカーソルを所望の電気製品に動かした後、ユーザは、このようにして選択された電気製品用のユーザインタフェースを、選択キーを押すことによって開始しなければならない。選択キーを押した後、ＣＤプレーヤ用のユーザインタフェースが閉じられ、選択された電気製品用のユーザインタフェースが代わりに開始する。
【００３３】
１つの例として、図５は、選択キーを押すことによって、選択された電気製品のリストから選択されたアンプ用のユーザインタフェースを示す。これは、アンプを制御するためのメインメニュを表示する。アンプの制御素子用の領域２０における音量上下キーに加えて、メニュを隠す（左キー）、接続された電気製品（右キー）、メニュを閉じる（赤いキー）、新しい接続（緑のキー）、及び、オーディオ設定（黄色いキー）がリストされる。このキーを押した後、サブメニュがオーバレイされ、このサブメニュでは、アンプの様々なパラメータが設定可能である。これらのパラメータには、例えば、バランス、ベース設定、高音設定、音量、イコライザ設定等を含む。
【００３４】
図５に示すように、接続された電気製品用の領域２２において、マッチングが行われる。これは、アンプ１４は、ＣＤプレーヤ１３とのデータリンクのみを有するからである。対応するように、接続電気製品のリストには、ＣＤプレーヤ１３のみを表示する。
【００３５】
例えば、音量を変更することによってアンプ１４の設定が更新されると、接続電気製品のリストを選択するために右キーを用いて、且つ、ＯＫキーを押すことによってＣＤプレーヤ用のユーザインタフェースを選択することによって、ＣＤプレーヤ１３用のメニュに戻ることが可能である。
【００３６】
図６は、市販される遠隔制御器上のキーの配置を示す。番号が付けられたキーと色の付いたキーに加えて、遠隔制御器は、更に、左、右、上、下のカーソル制御キーと、選択キーＯＫを有する。更に、ＤＶＤ又はＣＤプレーヤ、或いは、ビデオレコーダを制御するために特定のキーが設けられる。これらは、再生、後方検索、前方検索、停止、ポーズ、及び記録である。トグルキーを有する構成は、音量調節のために設けられ、同様に、番組選択のためにも設けられる。更なるキーは、ＣＤ／ＤＶＤプレーヤ、ビデオレコーダ、テレビジョンの選択に関り、それぞれのメインメニュを呼び出しし、それを終了する特定のキーがある。ビデオソースを切り替える従来のＡＶキーと、スタンバイ動作と正常動作との間を切り替えるキーも同様に設けられる。
【００３７】
本発明は、上述した例示的な実施例に制限されるものではない。娯楽電子機器に加えて、異なるカテゴリの更なる電気製品も、ネットワーク内に含み得る。これらのうちの幾つかは、既に導入部で述べ、「大型家電製品」電気製品や、家庭向けに用いる他の電子製品に関連する。
【００３８】
ネットワークは、ＩＥＥＥ１３９４バスを介するデータの交換に基づく必要はない。他の可能なバス規格は、例えば、イーサネット（登録商標）、トークンリング、有線通信、又は、ハイパーラン／２に基づいた無線通信、又は、ＩＥＥＥ８０２．１１ｘである。高位データ交換層は、ＨＡＶｉシステムに応じて構成される必要はない。例えば、ＯＳＧＩ、ＵＰｎＰ、又はＪｉｎｉといった他の通信体系も、本願に用い得る。
【図面の簡単な説明】
【００３９】
【図１】家庭内ネットワークの一例の構造を示す図である。
【図２】ＨＡＶｉ−ＦＡＶ電気製品のソフトウェアエレメントを示す図である。
【図３】ＣＤプレーヤを制御するためのユーザインタフェース（メインメニュ）を示す図である。
【図４】接続電気製品リストの選択後のＣＤプレーヤのユーザインタフェース（サブメニュ）を示す図である。
【図５】アンプを制御するためのユーザインタフェース（メインメニュ）を示す図である。隠す
【図６】市販される遠隔制御器のキー構成を示す図である。
【符号の説明】
【００４０】
１０  テレビジョン
１１  ビデオレコーダ
１２  衛星受信機
１３  ＣＤプレーヤ
１４  アンプ
１５  ＭＤプレーヤ
１６  ラジオ
【図１】
2004336762.tif 000003
【図２】
2004336762.tif 000004
【図３】
2004336762.tif 000005
【図４】
2004336762.tif 000006
【図５】
2004336762.tif 000007
【図６】
2004336762.tif 000008